(57)【特許請求の範囲】
【請求項１】
マスクであって、前記マスクは口と鼻を覆う口鼻マスク（５５）であって、
前記口鼻マスク（５５）は、空気浄化部（１２）を備えた装置であるエアマスク（１）からの浄化空気（２９）を排気する為の浄化気口（２３）を、前記口鼻マスク（５５）と一体に備えられた重複開口Ｂ（６９）に挿入して用いられ、
前記口鼻マスクは、人の顔において、目の下の部分から下方の鼻と口を覆い、前記口鼻マスクの、目の下の部分から下方の鼻と口を覆う部分の略全体が可撓性シートによって形成され、
垂れ幕部（６１）を備え、該垂れ幕部（６１）は、垂れ幕重複部（６６）であり、該垂れ幕重複部（６６）は、
２重構造またはそれ以上の多重構造を備え、前記垂れ幕重複部（６６）によって挟まれた中空空間を重複中空部（６７）とし、前記重複中空部（６７）は、重複開口Ａ（６８）及び重複開口Ｂ（６９）を備え、
前記可撓性シートと顔の間に設けられた中空部がマスク中空（５８）であり、該マスク中空（５８）を形成する前記顔の前面を覆う部分の可撓性シートを、本体シートとし、
前記重複中空部（６７）は、前記垂れ幕部（６１）を備えた略筒状であり、
前記垂れ幕部（６１）は、前記本体シートと略同一の面が延長された延長面を備えて、
前記本体シートの下側に懸垂して設けられた部分であり、前記口鼻マスク（５５）を人の顔に装着した際に顎下に垂れ下がっている可撓性シートであり、
前記本体シートの面に前記略筒状の前記重複中空部（６７）を前記マスク中空（５８）に連通あるいは挿通させる為の穴を備えず、該穴の中を前記重複中空部（６７）は通らずに前記重複中空部（６７）は前記マスク中空（５８）内に連通して前記垂れ幕部（６１）は前記本体シートに設けられ、
前記重複中空部（６７）の開口部である、前記重複開口Ａ（６８）は、前記マスク中空（５８）内に開口し、前記重複中空部（６７）の開口部である前記重複開口Ｂ（６９）は外気側に開口し、
略筒状の前記重複中空部（６７）は、前記口鼻マスク（５５）を人の顔に装着した際に、前記人の前半身の略前側に配置されることを特徴とする口鼻マスク（５５）。
【請求項２】
前記垂れ幕部（６１）が前記マスク中空（５８）を構成する可撓性シートに係止して設けられ、前記垂れ幕部（６１）の上側の縁部が、前記マスク中空（５８）を構成する可撓性シートの下の縁部に係止して、前記垂れ幕部（６１）の面が、前記マスク中空（５８）を構成する可撓性シートである本体シートの面と、略同一の面が延長された延長面を備えて、
設けられたことを特徴とする請求項１に記載の口鼻マスク（５５）。
【請求項３】
前記垂れ幕部（６１）が前記マスク中空（５８）を構成する可撓性シートに着脱可能に係止して設けられ、前記垂れ幕部（６１）の上側の縁部が、前記マスク中空（５８）を構成する可撓性シートの下の縁部に着脱可能に係止して、前記垂れ幕部（６１）の面が、前記マスク中空（５８）を構成する可撓性シートである本体シートの面と、略同一の面が延長された延長面を備えて、
設けられたことを特徴とする請求項１に記載の口鼻マスク（５５）。
【請求項４】
マスクであって、前記マスクは口と鼻を覆う口鼻マスク（５５）であって、
前記口鼻マスク（５５）は、空気浄化部（１２）を備えた装置であるエアマスク（１）からの浄化空気（２９）を排気する為の浄化気口（２３）を、前記口鼻マスク（５５）と一体に備えられた重複開口Ｂ（６９）に挿入して用いられ、
前記口鼻マスクは、人の顔において、目の下の部分から下方の鼻と口を覆い、前記口鼻マスクの、目の下の部分から下方の鼻と口を覆う部分の略全体が可撓性シートによって形成され、
垂れ幕部（６１）を備え、該垂れ幕部（６１）は、垂れ幕重複部（６６）であり、該垂れ幕重複部（６６）は、
２重構造またはそれ以上の多重構造を備え、前記垂れ幕重複部（６６）によって挟まれた中空空間を重複中空部（６７）とし、前記重複中空部（６７）は、重複開口Ａ（６８）及び重複開口Ｂ（６９）を備え、
前記可撓性シートと顔の間に設けられた中空部がマスク中空（５８）であり、該マスク中空（５８）を形成する前記顔の前面を覆う部分の可撓性シートを、本体シートとし、
前記重複中空部（６７）は、前記垂れ幕部（６１）を備えた略筒状であり、
前記垂れ幕部（６１）は、前記本体シートと同一の可撓性シートからなり、前記本体シートの下側に懸垂して設けられた部分で、前記口鼻マスク（５５）を人の顔に装着した際に顎下に垂れ下がっている可撓性シートであり、
前記本体シートの面に前記略筒状の前記重複中空部（６７）を前記マスク中空（５８）に連通あるいは挿通させる為の穴を備えず、該穴の中を前記重複中空部（６７）は通らずに前記重複中空部（６７）は前記マスク中空（５８）内に連通して前記垂れ幕部（６１）は前記本体シートに設けられ、
前記重複中空部（６７）の開口部である、前記重複開口Ａ（６８）は、前記マスク中空（５８）内に開口し、前記重複中空部（６７）の開口部である前記重複開口Ｂ（６９）は外気側に開口し、
略筒状の前記重複中空部（６７）は、前記口鼻マスク（５５）を人の顔に装着した際に、前記人の前半身の略前側に配置されることを特徴とする口鼻マスク（５５）。
【請求項５】
略筒状の前記重複中空部（６７）が、前記垂れ幕重複部（６６）から、マスク重複部（６５）に繋がって構成されており、前記マスク重複部は、前記口鼻マスク（５５）を人の顔に装着した際に、前記人の顔の前面を覆う部分である前記口鼻マスク（５５）の本体を構成する可撓性シートである本体シートが２重構造またはそれ以上の多重構造である部分であり、
前記マスク重複部（６５）が構成する前記重複中空部（６７）が、前記マスク中空（５８）内に開口した前記重複開口Ａ（６８）を備え、
前記垂れ幕重複部（６６）が構成する前記重複中空部（６７）が、外気側に開口した前記重複開口Ｂ（６９）を備えたことを特徴とする請求項１から請求項４のいずれかに記載の口鼻マスク（５５）。
【請求項６】
前記垂れ幕重複部（６６）から、マスク重複部（６５）に繋がっている、前記重複中空部（６７）に備えられた前記重複開口Ａ（６８）が、鼻あるいは口の真下に設けられていないことを特徴とする請求項１から請求項５のいずれかに記載の口鼻マスク（５５）。
【請求項７】
前記重複開口Ｂ（６９）が、筒状の前記垂れ幕重複部（６６）の下端部に設けられていることを特徴とする請求項1から請求項６のいずれかに記載の口鼻マスク（５５）。
【請求項８】
前記口鼻マスク（５５）を形成する可撓性シートが、不織布、または発泡性の生地、またはテント生地、またはメッシュ生地、または布状部材、または繊維素材、またはゴムあるいは樹脂の可撓性を備えたシート、または綿、または麻、または紙であることを特徴とする請求項1から請求項７のいずれかに記載の口鼻マスク（５５）。
【請求項９】
筒状の前記重複中空部（６７）の人の顔との接触部が人の顔と密着可能にシール部（５７）を備えたことを特徴とする請求項１から請求項８のいずれかに記載の口鼻マスク（５５）。
【請求項１０】
前記口鼻マスク（５５）または垂れ幕部（６１）が、マスク係止部Ａ（６３）を備え、前記マスク係止部Ａ（６３）は、前記口鼻マスク（５５）または垂れ幕部（６１）に設けられた前記エアマスク（１）との係止部であることを特徴とする請求項１から請求項９のいずれかに記載の口鼻マスク（５５）。
【請求項１１】
マスクユニット（２）が、エアマスク（１）と口鼻マスク（５５）がセットであるユニットであって、
前記と口鼻マスク（５５）が、請求項１から請求項８のいずれかに記載の口鼻マスク（５５）であって、
前記口鼻マスク（５５）は、口及び鼻を覆うように人（４９）の顔に装着されるマスクであって、前記口鼻マスク（５５）が、略筒状の垂れ幕重複部（６６）と重複開口Ｂ（６９）及び重複開口Ａ（６８）を備え、
前記エアマスク（１）は空気浄化部（１２）を備えた装置であり、前記エアマスク（１）からの浄化空気（２９）を排気する為の浄化気口（２３）を備え、
前記浄化気口（２３）は、前記重複開口Ｂ（６９）に挿入して設けられ、
前記浄化気口（２３）から送風された浄化空気（２９）が、前記重複開口Ｂ（６９）から前記口鼻マスク（５５）と人（４９）の顔の間に設けられた中空部であるマスク中空（５８）に送気され、人（４９）の鼻及び口周辺に流すことによって、前記マスク中空内への外気からの浄化されていない空気の侵入を抑制することが可能であることを特徴とするマスクユニット（２）。
【請求項１２】
前記マスク係止部Ａ（６３）と、前記エアマスク（１）が係止される構成において、前記エアマスク（１）側の係止部をマスク係止部Ｂ（６４）とし、前記マスク係止部Ａ（６３）または前記マスク係止部Ｂ（６４）のいずれかが、紐を巻き取ることによって、前記紐が伸縮自在である巻き取り具を備えたことを特徴とする請求項１１に記載のマスクユニット（２）。
【請求項１３】
前記空気浄化部（１２）が、加熱によるか、または光触媒によるか、または紫外線によるか、または濾過によることを特徴とする請求項１１から請求項１２のいずれかに記載のマスクユニット（２）。
【発明の詳細な説明】
【技術分野】
【０００１】
本発明は、人が吸う空気の、自由度の高い、浄化ユニット構造に関する。
【背景技術】
【０００２】
従来からマスク等のウィルスの感染抑止のシステムは、多種多様に提案されている。しかしながら、一般的な使用状況において、自由度高く、手軽で、ウィルスや花粉、空気を浄化し、効率的に送気する構成はまだまだ課題が多いものである。
【０００３】
また、一般的なマスクは、生地自体や、顔とマスクとの隙間から異物等が入り、課題が多い物である。
【０００４】
また、清浄した空気を効率的に、手軽に、自由度が高く人の口に送気するということについても、課題が多いものである。
【０００５】
また、一般的なマスクに付着したウィルス等が感染の原因となるという課題もある。
【０００６】
また、不特定多数の、様々な人や患者が出入りし、診察や支払い等を待つ、待合所やスペースにおいて、係るスペースに排出されたウィルスや菌による院内感染が発生するという問題がある。
【０００７】
また、家庭内において、インフルエンザ等のウィルス感染した患者による、家庭内感染が、濃厚接触も多く、また、密閉された同一空間内に長く同居することによる感染を引き起こし易いという問題がある。
【０００８】
また、様々な生活シーン、職場や、家庭や、公共交通機関での移動など、ウィルス等に晒される機会は多く、手軽で、効率的で、自由度の高いマスク、または、マスクに準じる新しい技術が求められているといえる。
【０００９】
そこで、従来からも種々の技術が提案されている。例えば、特許文献１には、発明の名称を「携帯型空気清浄用具」とする技術が開示され、公知技術となっている（特許文献１参照）。具体的には「  空気清浄化気体を発生する物質を収納した積層材料からなる包装体に、係止部と剥離シートの剥離により容易に開口する開口形成部が付設され、係止具が付帯していることを特徴とする空気清浄機能を有する携帯型の空気清浄用具。」というものである。しかしながら、特許文献１に記載の発明は、前記問題の解決には至っていない。
【００１０】
また、特許文献２には、発明の名称を「携帯用空気清浄機」とする技術が開示され、公知技術となっている（特許文献２参照）。具体的には「  本発明の携帯用空気清浄器は、片手で持てる程度の寸法とされ、その内部に煙が通過する流路２Ａが形成された筐体２と、一端が開放され他端が筐体２の流路２Ａに接続された吸込部材３と、この吸込部材３の下流の流路２Ａ上に設けられ、煙の成分を吸着し除去する除去吸着部（フィルター４及び吸着剤５）と、この除去吸着部の下流の流路２Ａ上に設けられ、空気を上流から吸引し下流へと排出する吸排部（ファン６及びモータ７）と、この吸排部の下流側の流路上に設けられ、該吸排部を通過した空気に臭いを添加する芳香部（芳香剤８）と、筐体の一側部に着脱自在に設けられると共にその上部が吸込部材に接続された灰皿９とを備えたものである。」というものである。
しかしながら、特許文献２に記載の発明は、たばこの煙に特化した構成であり、一般的な使用等において、簡易で、効率的で、自由度が高い構成であるとは言えず、前記問題の解決には至っていない。
【００１１】
また、特許文献３には、発明の名称を「ブローチ型空気清浄器具」とする技術が開示され、公知技術となっている（特許文献３参照）。
具体的には「空気清浄化気体を発生する物質を保管する収納部１と空気清浄化気体を放散可能な開口部を備えた着脱自在な蓋部２により閉じられている蓋付容器に対して、係止具が付帯している。」というものである。
しかしながら、特許文献３に記載の発明は、前記問題の解決には至っていない。
【先行技術文献】
【特許文献】
【００１２】
【特許文献１】特開２０１４−４５８９９号
【特許文献２】特開２００１-８６７５号
【特許文献３】実用新案登録第３１７９６８５号
【発明の概要】
【発明が解決しようとする課題】
【００１３】
人の移動に合わせて、簡易で手軽で自由度が高く、人が吸う空気中のウィルスや菌、花粉、あるいは汚染された空気やガスを無毒化し、効率的に送気するマスクユニットを提供する。
【課題を解決するための手段】
【００１４】
本発明に係るエアマスク（１）は、ファン（１１）と空気浄化部（１２）を備え、前記空気浄化部（１２）は略筒状の感染防止筒（２１）内に設けられ、前記感染防止筒（２１）は、２以上の開口部を備えた中空部材であり、前記２以上の開口部の内１つ以上の開口部は、浄化気口（２３）であり、前記感染防止筒（２１）のその他の開口部は、未浄気口（２４）であり、前記浄化気口（２３）は、前記空気浄化部（１２）を通過した空気が通過して前記感染防止筒（２１）から大気中に放出される開口部であり、前記未浄気口（２４）は、前記大気中から、空気を取り込む為の開口部であり、前記ファン（１１）は前記浄化気口（２３）に設けられ、前記感染防止筒（２１）は、人（４９）の体に装着可能な体装着具（３４）を設けられ、前記エアマスク（１）は、前記ファン（１１）によって前記浄化気口（２３）から放出された空気を人（４９）の鼻及び口周辺に流すことによって、人（４９）の鼻及び口周辺にエアカーテンを創出することが可能である構成を採用する。
【００１５】
また、本発明は、前記体装着具（３４）は、人（４９）の首から吊設可能な首紐（３５）を設けられ、前記エアマスク（１）は、前記ファン（１１）によって前記浄化気口（２３）から放出された空気を人（４９）の鼻及び口周辺に流すことによって、人（４９）の鼻及び口周辺にエアカーテンを創出することが可能である構成を採用することもできる。
【００１６】
また、本発明は、前記感染防止筒（２１）が、方向定め具（２５）を備え、前記方向定め具（２５）は、前記浄化気口（２３）の位置あるいは方向を調整可能で、前記浄化気口（２３）から放出された空気の方向性を定めることが可能である構成を採用することもできる。
【００１７】
また、本発明は、前記方向定め具（２５）が、足である方向定め足（２６）、または蛇腹構造（２７）である蛇腹首、または回動回転可能構造である回動回転首、または板である放散抑制板（１３）、または足である方向定め足（２６）、またはチューブ（３３）であるチューブ首によって、前記浄化気口（２３）の位置あるいは方向を変更あるいは保持可能で、前記浄化気口（２３）から放出された空気の方向性を定めることが可能である構成を採用することもできる。
【００１８】
また、本発明は、前記方向定め足（２６）は、長さが変更可能であるか、または回動可能に設けられていることによって前記浄化気口（２３）の位置あるいは方向を調整可能であることが可能である構成を採用することもできる。
【００１９】
また、本発明は、前記エアマスク（１）が前記浄化気口（２３）から放出された空気の放散を抑制可能な、放散抑制板（１３）を備えた構成を採用することもできる。
【００２０】
また、本発明は、前記放散抑制板（１３）が、スライドレール（１８）を備え、スライド可能であるか、または回動可能である構成を採用することもできる。
【００２１】
また、本発明は、前記エアマスク（１）が、前記浄化気口（２３）の位置あるいは方向を変更可能に、蛇腹構造（２７）である蛇腹首を備えた構成を採用することもできる。
【００２２】
また、本発明は、前記エアマスク（１）が、前記浄化気口（２３）の方向を変更可能に、回動構造である回動回転首を備えた構成を採用することもできる。
【００２３】
また、本発明は、前記空気浄化部（１２）が、加熱によるか、または紫外線によるか、または光触媒によるか、または活性炭によるか、または炭によるか、またはシリカゲルによるか、フィルターによる濾過によるか、高吸水性高分子を備えた構成を採用することもできる。
【００２４】
また、本発明は、前記感染防止筒（２１）が、人（４９）の頭に巻いて設けられる構成を採用することもできる。
【００２５】
また、本発明は、前記感染防止筒（２１）が、人（４９）の鼻に沿って浄化空気（２９）を送気可能な流路（１９）である浄化気誘導部（５４）を備えた構成を採用することもできる。
【００２６】
また、本発明は、前記体装着具（３４）が、帽子またはヘルメット（１６）であり、前記感染防止筒（２１）が、人（４９）の頭に設けることが可能に、帽子またはヘルメット（１６）に設けられた構成を採用することもできる。
【００２７】
本発明に係るマスクユニット（２）が、エアマスク（１）と口鼻マスク（５５）がセットであるユニットであって、
前記エアマスク（１）が、請求項１に記載のエアマスク（１）であって、前記口鼻マスク（５５）は、口または鼻を覆うように人（４９）の顔に装着されるマスクであって、前記口鼻マスク（５５）が、開口部である、マスク開口（５６）を備え、前記エアマスク（１）から送風された浄化空気（２９）が、前記口鼻マスク（５５）の開口部から前記口鼻マスク（５５）と人（４９）の顔の間に設けられた中空部であるマスク中空（５８）に送気される構成を採用する。
【００２８】
また、本発明は、前記口鼻マスク（５５）の一部が、下に幕状に垂れ下がっている部分である垂れ幕部（６１）を備えているか、または、前記エアマスク（１）が方向定め具（２５）を備え、前記方向定め具（２５）が、方向定め足（２６）、または蛇腹構造（２７）である蛇腹首、または回動可能構造である回動回転首、または板である放散抑制板（１３）、または足である方向定め足（２６）、またはチューブ（３３）であるチューブ首である構成を採用することもできる。
【００２９】
また、本発明は、前記口鼻マスク（５５）の一部が、下に幕状に垂れ下がっている部分である垂れ幕部（６１）を備えている構成を採用することもできる。
【００３０】
また、本発明は、前記垂れ幕部（６１）がリブを備えるか、またはプリーツ加工を施すか、または一部を折り曲げるか、またはテープを備えるか、または発泡素材である構成を採用することもできる。
【００３１】
また、本発明は、前記垂れ幕部（６１）が、幕位置保持部（６２）を備え、前記幕位置保持部（６２）が、重りまたは芯材である構成を採用することもできる。
【００３２】
また、本発明は、前記口鼻マスク（５５）または垂れ幕部（６１）が、マスク係止部Ａ（６３）を備え、前記マスク係止部Ａ（６３）は、前記口鼻マスク（５５）または垂れ幕部（６１）に設けられた前記エアマスク（１）との係止部である構成を採用することもできる。
【００３３】
また、本発明は、前記マスク係止部Ａ（６３）と、前記エアマスク（１）が係止される構成において、前記エアマスク（１）側の係止部をマスク係止部Ｂ（６４）とし、前記マスク係止部Ａ（６３）または前記マスク係止部Ｂ（６４）のいずれかが、紐を巻き取ることによって、前記紐が伸縮自在である巻き取り具を備えた構成を採用することもできる。
【００３４】
また、本発明は、前記口鼻マスク（５５）に備えられた前記垂れ幕部（６１）が、2重構造またはそれ以上の多重構造である垂れ幕重複部（６６）を備え、前記垂れ幕重複部（６６）によって挟まれた中空空間を重複中空部（６７）とし、前記重複中空部（６７）は、重複開口Ａ（６８）及び重複開口Ｂ（６９）を備え、前記重複開口Ａ（６８）は、前記マスク中空（５８）内に開口し、前記重複開口Ｂ（６９）は外気側に開口している構成を採用することもできる。
【００３５】
また、本発明は、前記垂れ幕重複部（６６）が、筒状である構成を採用することもできる。
【００３６】
また、本発明は、前記口鼻マスク（５５）に備えられた前記垂れ幕部（６１）が、着脱可能である構成を採用することもできる。
【００３７】
また、本発明は、前記口鼻マスク（５５）が、2重構造またはそれ以上の多重構造である垂れ幕重複部（６６）を備え、前記垂れ幕重複部（６６）によって挟まれた中空空間を重複中空部（６７）とし、前記重複中空部（６７）は、重複開口Ａ（６８）及び重複開口Ｂ（６９）を備え、前記重複開口Ａ（６８）は、前記マスク中空（５８）内に開口し、前記重複開口Ｂ（６９）は外気側に開口している構成を採用することもできる。
【発明の効果】
【００３８】
本発明に係るエアマスクあるいはマスクユニットによれば、空気中のウィルスや有毒な物質や花粉等を無毒化、除菌して、人の体内に取り込むのを抑制することができ、症状の軽減や、感染等を予防可能であるという優れた効果を発揮する。
【００３９】
本発明に係るエアマスクあるいはマスクユニットによれば、容易に、自由度が高く空気中のウィルスや有毒な物質や花粉等を無毒化、除菌して、効率的に人の鼻口に送気し、つまりは、ユニットのコンパクト化も図れ、症状の軽減や、感染等を予防可能であるという優れた効果を発揮する。
【００４０】
本発明に係るエアマスクあるいはマスクユニットによれば、様々なウィルスや感染症の不特定多数の、様々な人々が出入りする病院や空港、交通機関などにおいても、場所を選ばず空気を浄化、殺菌、無毒化して、容易に、効率的に、自由度高く体内に取り込むことが可能であるという優れた効果を発揮する。
【００４１】
本発明に係るエアマスクあるいはマスクユニットによれば、家庭内において、インフルエンザ等のウィルス感染した患者による、家庭内感染が、濃厚接触も多く、また、密閉された同一空間内に長く同居することによる感染を引き起こし易いという家族感染を、容易に、効率的に、自由度高く抑制することができるという優れた効果を発揮する。
【００４２】
本発明に係るエアマスクあるいはマスクユニットによれば、一定の空間から発生する、臭いやガスを含んだ空気を吸って体内に取り込む際に、容易に、効率的に、自由度高く浄化、無毒化可能であるという優れた効果を発揮する。
【図面の簡単な説明】
【００４３】
【図１】本発明に係るエアマスクの基本説明図である。
【図２】本発明に係る方向定め具の構成例の説明図である。
【図３】本発明に係る蛇腹首の構成例の説明図である。
【図４】本発明に係るチューブ首の構成例の説明図である。
【図５】本発明に係るエアマスクを頭に載せる構成の例の説明図である。
【図６】本発明に係るエアマスクを頭に載せる構成の例の説明図である。
【図７】本発明に係るエアマスクが放散抑制板を備えた構成の例の説明図である。
【図８】本発明に係るエアマスク内の構成の例の説明図である。
【図９】本発明に係る空気浄化部の構成の例の説明図である。
【図１０】本発明に係るエアマスクと口鼻マスクのマスクユニットの構成の例の説明図である。
【図１１】本発明に係るエアマスクと口鼻マスクのマスクユニットの構成の垂れ幕部他の例の説明図である。
【図１２】本発明に係るエアマスクあるいはマスクユニットの構成の応用例の説明図である。
【図１３】本発明に係るマスクユニットの口鼻マスクのマスク重複部の構成例の説明図である。
【図１４】本発明に係るマスクユニットの口鼻マスクのマスク重複部の構成例の正面図による説明図である。
【発明を実施するための形態】
【００４４】
本発明に係るエアマスク１は、体に装着され、浄化された空気を顔面近傍に送風することによって、ウィルスや花粉や有毒なガスや物質を、人４９が呼吸によって取り込むことを抑制する構成である。
また、本発明に係るマスクユニット２は、係るエアマスク１と口あるいは鼻を覆う口鼻マスク５５とのユニットである構成である。
以下、図面に基づいて本発明に係るエアマスク１について説明する。
但し、図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能であるものとする。
【００４５】
図１は、エアマスク１の1つの基本構成を示し、中空状の略筒状の感染防止筒２１内に、ファン１１と空気浄化部１２を備え、係る、ファン１１が回転することによって、係る感染防止筒２１の下部に設けられた大気中の空気取り入れ口である未浄気口２４から、インフルエンザウィルス等のウィルスや花粉、有毒ガス、悪臭、有害物質等を含んでいるかもしれない空気である未浄空気２８が取り入れられ、係る感染防止筒２１内の空気浄化部１２で浄化され、浄化気口２３から排気された係る浄化あるいは除菌、無毒化、不活化された空気である浄化空気２９が、人４９の顔の前に送気され、係る人４９の顔の前に係るエアカーテンを作り、係る人４９が未浄空気２８の取込みを抑制する構成の例である。
【００４６】
また、首から係る送気される構成のエアマスク１が設けられることによって、常に安定的に係る人４９の顔の前に浄化された空気が送気される構成であり、安定的に浄化空気２９を顔の前に送気可能であり、係る人４９の健康面の予防あるいは悪化の抑制に貢献可能であり、有用である。
また、係る浄化空気２９は、鼻や口周辺へ供給されることによって係る人４９が、安定的に浄化された空気を呼吸することが可能であるだけでなく、係る浄化空気２９は、眼の方向にも送風される構成であるので、係る眼がウィルスや、花粉や、有害物質等に晒されることによる健康被害を抑制することが可能な構成であり、有用である。
【００４７】
図１（ａ）の構成の例は、係るエアマスク１を体装着具３４である首紐３５によって、首から吊設した人４９の顔の前に、ファン１１にて送気された浄化空気２９が流れる模式図であり、係る浄化空気２９が、係る人４９の顔の前にエアカーテンを創出することによって、未浄空気２８の吸入を抑止することが可能な構成の例であり、係る浄化空気２９によるエアカーテンによって、係る人４９が未浄空気２８を吸入するのを抑止する構成の例の正面図である。
【００４８】
係る構成のエアマスク１は、感染防止筒２１の未浄気口２４から、取り入れた未浄空気２８が、空気浄化部１２を通過し、係る空気浄化部１２で浄化あるいは無毒化、不活化、殺菌されて、浄化気口２３側を向いたファン１１にて係る浄化気口２３から人４９の口の方向に送気される構成の例である。
係る空気浄化部１２は、未浄気口２４から取り入れられてきた未浄空気２８を浄化、または殺菌する構成の部分であり、係る空気浄化部１２の構成は、加熱によるものでも良いし、または紫外線によるものでも、光触媒によるものでも、活性炭によるものでも、または炭によるものでも、またはシリカゲルによるものでも、フィルターによる濾過によるものでも、高吸水性高分子によるものでも、軽石やセラミックによるものでも良く、その他、本発明の技術的思想の範囲内、即ち、同一の作用効果を発揮できる構成、形状あるいは寸法の範囲内で変更することができるものである。
【００４９】
係る空気浄化部１２の構成が加熱による構成は、例えば、セラミックや、軽石や、フィルターや、係る未浄空気２８の通り道を加熱することによって、係る未浄空気２８に含まれたウィルスや菌、花粉、ガスや臭いの成分を、加熱によって分解、あるいは殺菌、無毒化、不活化する構成であり、係る加熱の構成とすることによって、例えばフィルターなどの構成の様に、異物等をキャッチする構成と比較すると、目詰まり等が比較的少なく、メンテナンスが少なくて済む構成とすることも可能であり、有用である。
尚、図面上、破線の格子点線模様部が、空気浄化部１２を示している。
また、係る紫外線による構成は、主に、紫外線によって死滅するウィルスや菌に効果があり、特に、係る感染防止筒２１内の閉鎖空間の中で照射可能なので、人体には強すぎる様な波長の紫外線を用いる構成も可能で、有用である。
【００５０】
また、係る光触媒による構成は、係る光触媒を活性化させる光源２０を係る感染防止筒２１内に合わせて設けることによって、より、係る光触媒の効用を活用可能であり、有用であり、また、係る光触媒加工を施す物は、セラミックでも、石でも、軽石でも、木でも、プラスチックでも、陶器でも、ガラスでも、ゴムでも、シリコンラバーでも、鉄やアルミニウム等の金属でも良く、また、炭素繊維やガラス繊維等の繊維状の形態でも良いし、粒上でも、発泡材状でも、フィルター状でも良く、その他、本発明の技術的思想の範囲内、即ち、同一の作用効果を発揮できる構成、形状あるいは寸法の範囲内で変更することができるものであり、例えば、係る光触媒を、ガラスあるいはアクリル樹脂等の透明の素材に加工して設けることによって、より効果的に、係る光源２０からの光あるいは太陽光を、より隅々まで届けることが可能で有用である。尚、係る光触媒を活性化させるための光は、日光でも良く、その為に、感染防止筒２１を、アクリルやガラス等の透明な素材である構成としても良い。
【００５１】
また、係る光触媒を活性化させる光源２０に、紫外線を使用することにより、紫外線自体の殺菌作用と、光触媒による殺菌作用のダブルで、効果を発揮し、有用である。
また、係る活性炭による構成は、ウィルスや臭い等吸着させることによって効果を発揮し、比較的手軽な構成であり有用である。
また、フィルターによる構成は、構造が簡易で手軽であるという有用性もあり、例えば、係るフィルターに銀イオンや亜鉛イオンやチタンイオン等の金属イオンを配合させて抗菌性をアップさせても良いし、熱をかけても良いし、静電フィルターとしてもよく、その他、本発明の技術的思想の範囲内、即ち、同一の作用効果を発揮できる形状あるいは寸法の範囲内で変更することができるものである。
高吸水性高分子は、網状でも粒状でも、発泡樹脂状でも良く、水分でウィルスを吸着させ、例えば、係る水分に、消毒液や、係る高吸水性高分子に銀イオンや亜鉛イオンやチタンイオン等の金属イオンを混ぜ込んだ構成として、吸着させたウィルスを殺菌する構成としても良い。
尚、係る空気浄化部１２の熱源のヒーターや、ファン１１、光源２０のライトは、電池でも良いし、太陽電池でも、電源からの電気で作動しても良く、図１の構成の例は、電源からの電機の構成として、電気コード３６を備えた構成の例である。
【００５２】
感染防止筒２１は、空気が通過可能な中空状の容部であり、二つ以上の開口部を備え、係る開口部の一つ以上が係る未浄気口２４であり、その他の開口部が、係る感染防止筒２１内で浄化された空気が、排気される浄化気口２３であり、係る感染防止筒２１内には、空気浄化部１２を備え、感染防止筒２１に設けられたファン１１によって、係る感染防止筒２１内への空気の取り入れと、排気を行うものである。
【００５３】
体装着具３４は、係る感染防止筒２１を人４９の体に装着する為の部材であり、首から吊設する為の首紐３５でも良いし、頭に載置する為の帽子やヘルメット１６状でも、肩から掛ける肩掛けでも、頭に巻いて装着でも、ベルトを設けた構成としても良く、その他、本発明の技術的思想の範囲内、即ち、同一の作用効果を発揮できる形状あるいは寸法の範囲内で変更することができるものである。
【００５４】
図１（ａ）の構成の例の未浄気口２４は、係る感染防止筒２１の下部に設けられた４つの穴である。係る未浄気口２４あるいは浄化気口２３の形状あるいは位置あるいは数等の形態は、必要に応じて自由に設定できるものであり、係る形は、円でも良いし、四角でも、楕円でも、星形でも、その他異形でも良く、係る位置においても、上下の対向する位置でも良いし、側面でも良く、形態についても、軟質でも硬質でも、位置や方向を調整可能でも良く、その他、本発明の技術的思想の範囲内、即ち、同一の作用効果を発揮できる形状あるいは寸法の範囲内で変更することができるものである。
尚、破線の矢印は、空気の流れ１７を示しており、係る空気は、係るエアマスク１により浄化された浄化空気２９あるいは、まだ浄化されていない未浄空気２８である。
【００５５】
係る空気浄化部１２に、アロマオイルなどの良い匂いを備えた構成としても良く、係るにおい成分が脳の活性化や、精神の安定に繋がる構成とすることも可能で、有用である。
【００５６】
図１（ｂ）の構成の例は、図１（ａ）の構成の例のファン１１が浄化気口２３に正対している構成の例であるのに対して、係るファン１１が、係る浄化気口２３に対して、略垂直方向に設けられている構成の例であり、係る構成とすることによって、係る感染防止筒２１の幅を薄くすることが可能となり有用である。
また、係るファン１１によって送風された空気は、アーク上に曲折された壁によって、よりスムーズな空気の流れ１７を作って、上方の浄化気口２３に排気される構成の例である。
【００５７】
図１（ｃ）の構成の例は、係るファン１１を、斜めに設けた構成の例であって、係る構成とすることによって、係る感染防止筒２１の幅を薄くすることが可能となり、また、図（ｂ）の構成と比較して、より浄化気口２３側に係るファン１１が向いている為、よりスムーズに抵抗が少なく空気が流れることが可能であり、有用である。
【００５８】
図２の構成の例は、係るエアマスク１を首から吊り下げた人４９を横から見た場合の例であり、図２（ａ）の構成の例は、図１の構成の例を首から吊り下げた人４９を、横から見た例である。
図２（ａ）の構成の例は、例えば係るエアマスク１を首から吊り下げた人４９に対して、係るエアマスク１から排気された、浄化空気２９、が、やや顔の口や鼻に対してしっかりと当たっておらず、つまり、人４９の顎の部分が、係る人４９の顔の下から流れてくる空気を邪魔して、頬の横の方に流れて行ってしまっている構成の例である。
このような場合、しっかりと係る浄化空気２９を係る人４９の口や鼻に届けることができず、係るエアマスク１の効果が十分に発揮されない場合が考えられる。
このようなケースの対策として、例えば、図２（ｂ）あるいは図２（ｃ）の様な構成の例がある。
【００５９】
図２（ｂ）の構成の例は、係る浄化気口２３の方向を定める、方向定め具２５が、足である方向定め足２６の構成の例であり、係る足が胸に当たり、係る足の長さや、角度を変更することによって、係る浄化気口２３の位置や方向や角度を調整可能とした構成の例であり、係る人４９の顔に浄化空気２９を向けることが可能となり有用である。
尚、係る方向定め足２６は、図２（ｂ）の構成の例においては、浄化気口２３側に２本設けた構成の例であるが、未浄気口２４側にも設けても良いし、１本でも、３本でも、それ以上でも良く、その他、本発明の技術的思想の範囲内、即ち、同一の作用効果を発揮できる形状あるいは寸法の範囲内で変更することができるものである。
【００６０】
図２（ｃ）の構成の例は、係る浄化気口２３の方向が、回動可能に調整可能な構成の例であり、係る構成とすることによって、浄化気口２３から送気される浄化空気２９を顔の鼻や口の方向に送気可能となり、有用である。
係る回動回転口３１は、錐台状の筒が、係る感染防止筒２１に、２か所の回動係止具３２を介して係止されており、係る方向定め具２５が、２か所で回動可能に係止された回動係止具３２を回動軸として回動することによって、係る浄化気口２３の送気方向を調整可能とする回動回転首である構成の例である。
【００６１】
尚、係る回動回転首の回動構造は、図２（ｃ）の構成の例においては、一軸の回動軸を備えた回動構造である、一方向にのみ回動回転し、係る回動回転口３１も、一方向にのみ回動して方向を変えることが可能な構成の例であるが、図面には示されていないが、係る回動回転首は、多方向に方向を変更可能な回動回転首である構成とすることも可能であり、係る多方向に方向を変更可能な回動回転首は例えば、係る回動回転首が、略中空の球状に、二つ以上の穴を備えた回動回転首であり、係る略中空の球状の回動回転首が回転可能に嵌め込まれることによって、係る略中空の球状の回動回転首に設けられたうちの一つ以上の穴を、回動回転口３１として、係る回動回転口３１から排気される浄化空気２９を多方向に送気可能な構成としても良い。
【００６２】
図３の構成の例は、図２（ｂ）あるいは図２（ｃ）の構成の例の様に、係る浄化気口２３から排気された空気の方向を調整可能な構成の例として、係る浄化気口２３に、蛇腹構造２７の蛇腹口３０を備えた構成の例であり、係る浄化気口２３を蛇腹口３０とすることによって、係る浄化気口２３の開口方向を調整するだけでなく、係る浄化気口２３を、蛇腹構造２７によって伸ばして、より人４９の口や鼻の部分に近づけることが可能な構成となり、有用である。
図３の構成の例は、方向定め具２５が、蛇腹構造２７の首である蛇腹首によって可動する蛇腹口３０の構成の例である。
【００６３】
図３（ａ）の構成の例は、係る蛇腹口３０の蛇腹構造２７によって、係る浄化気口２３の方向を変えた構成の例であり、係る浄化気口２３から排気された浄化空気２９が、図２（ｂ）あるいは図２（ｃ）の構成と同様に、係る人４９の口と鼻の方向に送気される構成の例を示しており、有用である。
図３（ｂ）の構成の例は、係る蛇腹口３０が、係る蛇腹構造２７によって伸ばされて、係る人４９の口と鼻の近くまで配置された構成の例であり、係る構成とすることによって、係る浄化気口２３から排気された浄化空気２９を、より確実に、且つ、より多く、係る鼻や口に運ぶことが可能な構成となり、有用である。
本発明の説明における蛇腹構造２７は、紙、布、プラスチック、ゴム、シリコンゴム、金属等の膜、あるいはシート、あるいは板状の部材で形成され、山折と谷折りの繰り返し構造を備えた、略筒状の構造体である。
【００６４】
図４の構成の例は、係るエアマスク１が、背中に背負われた構成の例であり、図４（ａ）の構成の例が係る人４９の背中に係るエアマスク１が背負われた構成の横からの構成を示している。
係る背中に背負われたエアマスク１には、方向定め具２５として２本の可撓性のチューブ３３であるチューブ３３首が設けられており、係る２本のチューブ３３には、針金が設けられていることによって、自在な方向に可撓させることが可能で、且つ、係る可撓した状態の角度を保持可能な構成の例である。
【００６５】
係るエアマスク１の空気浄化部１２によって浄化された空気は、係るチューブ３３内を通って係る人４９の口と鼻の近傍に係る開口部を配置させることが可能であり、係る構成とすることによって、係る人４９の口と鼻の付近に、好きな方向から係る浄化空気２９を送気可能な構成であり、図４（ａ）の構成の例においては、係る顔の横から送気されている構成の例であり、顔の横から送気することによって、例えば、顔の下や上から送気した場合、係る送気された空気が、眼に当たることとなり、それによって、ドライアイ等の問題を軽減可能な構成となり、有用である。
尚、係るエアマスク１の装着される位置は、図４（ａ）の構成の例に示される様な、背中でも良いし、もっと上の首の後ろ付近でも良いし、頭の後ろや上に装着する構成としても良く、係る位置は、本発明の技術的思想の範囲内、即ち、同一の作用効果を発揮できる形状及び寸法、位置の範囲内で変更することができるものであり、係る装着される位置は、頭に近いところに設けられる程頭の動きに合わせて係るエアマスク１の位置も追随して動き易く、係るチューブ３３の顔に対する位置が変わらず有用である。
【００６６】
図４（ｂ）の構成の例は、係るチューブ３３が、顔の両サイドに配置されることによって、係る人４９の鼻と口にピンポイントで送気されている構成の例の顔の正面からの、顔の部分のみを表した図であり、係るチューブ３３から排気された浄化空気２９が殆ど目には当たらない構成を示しており、有用である。
【００６７】
図５の構成の例は、係るエアマスク１が、頭の上に装着されている構成の例であり、係る体装着具３４が、帽子またはヘルメット１６である構成の例である。
係る構成とすることによって、額の上から、顔の前に係る浄化空気２９がエアカーテンの様に流れ降りてくることによって、浄化空気２９を常に吸うことが可能な構成の例であり、係る構成とすることによって、胸や背中等、胴体に係るエアマスク１を装着した場合、例えば、顔が横を向いたり、上を向いたりした場合、係るエアマスク１から送気される浄化空気２９のエアカーテンから、鼻や口の位置がずれてしまうことになってしまうが、頭の上に装着することによって、係る浄化気口２３の位置が口や鼻の位置に対してずれず、ついては、係る浄化空気２９を常に吸うことが可能となり、ウィルス等が体内に侵入するリスクを低減可能な構成であり、有用である。
【００６８】
図５（ａ）の構成の例が、係るヘルメット１６の中に、係る中空の感染防止筒２１が設けられ、係るヘルメット１６の後頭部側が、係る感染防止筒２１の未浄気口２４であり、係る未浄気口２４から取り入れられた未浄空気２８が、係る感染防止筒２１にて、浄化あるいは殺菌、無毒化、不活化され、ファン１１にて顔の前にエアカーテンとして排気される構成の例である。
【００６９】
図５（ｂ）の構成の例は、係るヘルメット１６のツバの先に、方向定め具２５として、放散抑制板１３が設けられ、係る放散抑制板１３によって、係る浄化空気２９の拡散を防ぎ、より濃密な浄化空気２９を係る人４９が取り入れることが可能な構成の例であり、有用である。
また、係る放散抑制板１３は、係るヘルメット１６のツバとの係止部において、回動可能に開閉可能な構成とすることによって、あるいはスライドして開閉可能な構成とすることによって、必要でない時は、係る放散抑制板１３を顔の前から外すことが可能な構成であり、有用であり、図５（ｂ）の構成の例は、回動係止具３２による回動軸を備えて回動して開閉可能な構成の例である。
【００７０】
図６の構成の例は、係るエアマスク１が、頭の上に装着されている構成の例であり、係る体装着具３４が、帯状のベルトである構成の例であり、係る体装着具３４によって、係るエアマスク１が頭に巻いて係る人４９の額に設けられた構成の例である。
係る構成とすることによって、額の上から、顔の前に係る浄化空気２９がエアカーテンの様に流れ１７降りてくることによって、浄化空気２９を常に吸うことが可能な構成の例であり、係る構成とすることによって、胸や背中等、胴体に係るエアマスク１を装着した場合、例えば、顔が横を向いたり、上を向いたりした場合、係るエアマスク１から送気される浄化空気２９のエアカーテンから、鼻や口の位置がずれてしまうことになってしまうが、頭の上に装着することによって、係る浄化気口２３の位置が口や鼻の位置に対してずれず、ついては、係る浄化空気２９を常に吸うことが可能となり、ウィルス等が体内に侵入するリスクを低減可能な構成であり、有用である。
【００７１】
図６（ａ）の構成の例が、係るエアマスク１が頭に巻いて、額に設けられた構成の例であり、係るエアマスク１は、感染防止筒２１の両端に設けられた未浄気口２４から、ファン１１によって取り入れた未浄空気２８が、空気浄化部１２を通過し、係る空気浄化部１２で浄化あるいは無毒化、不活化、殺菌されて、係る感染防止筒２１の中程に下側を向いて設けられた浄化気口２３から人４９の鼻の方向に浄化空気２９として送気される構成の例である。
係る浄化空気２９を排気する浄化気口２３が係る顔の中央付近、つまり眉間付近に設けられていることにより、直接眼に送風されて当たる空気を減らし、係る眼に直接空気が当たり続けることを原因とする、例えばドライアイ等の目の不具合を予防するものである。
【００７２】
図６（ａ）の構成の例においては、浄化空気２９があまり眼に直接かからない構成の例であるが、図面には示されていないが係る浄化空気２９が、眼の前を流れる様な構成として、係る眼の前に、エアカーテンの様に、空気のバリアを設ける構成とすることによって、係る眼から、ウィルスや花粉や異物が入ってくるのを抑制する構成としても良く、有用である。
【００７３】
また、図面には示されていないが、係るエアマスク１が、体装着具３４を帽子またはヘルメットとして、係る帽子またはヘルメットの一部に設けられることによって、係る人の頭に装着される構成としても良く、係るエアマスク１は、係る帽子またはヘルメットに着脱可能に設けることによって、係る帽子やヘルメットを必要に応じて洗濯可能でもあり、また、人の頭のサイズに合わせｔ取替えも可能であり有用である。
尚、係る帽子またはヘルメットに着脱可能な係るエアマスク１との係止部は、フックでも良いし、面ファスナーでも良いし、ホックでも良いし、マグネットでも良いし、嵌め合いでも良いし、紐でも良く、その他、本発明の技術的思想の範囲内、即ち、同一の作用効果を発揮できる形状あるいは寸法の範囲内で変更することができるものである。
【００７４】
図６（ｂ）の構成の例は、図６（ａ）の構成の例のエアマスク１において、係る浄化気口２３から、鼻に沿って壁あるいは筒状の浄化気誘導部５４を備えた構成の例であり、係る浄化気誘導部５４は、浄化空気２９が眼の方に流れることによる、ドライアイ等の眼の不具合を予防することが可能であり、有用である。
尚、図６（ｂ）の構成における浄化気誘導部５４は、係る眼の間に設けられたコの字状の浄化空気２９の流路であるが、係る浄化気誘導部５４は、眉間から鼻筋を係る浄化空気２９が流れる様に眼の間に縦方向に設けられた２つの対向した壁でも良いし、チューブ３３でも良いし、係る材質も、シリコンゴムでも、ゴムでも、可撓性シートでも、ポリエステルやポリプロピレン等のプラスチックでも良いし、べっ甲でも、ガラスでも、陶磁器でも、カーボンでも、鉄や金等の金属でも良く、その他、本発明の技術的思想の範囲内、即ち、同一の作用効果を発揮できる形状あるいは寸法の範囲内で変更することができるものである。
また、係る浄化空気２９が、鼻の方により拡散し難く送風される構成であるので、係る浄化空気２９をより効率よく係る鼻と口の方に送風し、効率良く浄化空気２９で呼吸することが可能な構成であり、有用である。
【００７５】
図７の構成の例は、図２（ｂ）の構成の例におけるエアマスク１が、方向定め具２５として、スライド可能な放散抑制板１３を備えた構成の例である。
【００７６】
図７（ａ）の構成の例においては、スライドレール１８に設けられた放散抑制板１３が、上側にスライドして、略人４９の口の前あたりまで伸びて、係る浄化空気２９を人４９の口の近くまで拡散せず送気可能な構成の例であり、また、図７（ｂ）の構成の例は、係るスライドレール１８に設けられた放散抑制板１３が、係るスライドレール１８上を下の方まで下げられた構成の例であり、係る構成とすることによって、必要に応じて、係るスライドレール１８上を、必要なだけ係る放散抑制板１３を上下させて係る人４９の口や鼻まで浄化空気２９を送気可能な構成であり、有用である。
また、図面には示されていないが、係る放散抑制板１３は、回動可能に係るエアマスク１に設けられ、必要な時は係る放散抑制板１３を図７（ａ）の構成の例の様に、係る感染防止筒２１の上に立てることが可能で、必要でない時は、邪魔でないように回動させて倒すことが可能な構成としても良い。
【００７７】
図８の構成の例は、空気浄化部１２の構成の例である。
図８（ａ）の構成の例は、空気浄化部１２にフィルターが設けられ、係る空気浄化部１２の流路１９が、二つのヘアピンカーブ３７を備えた構成の例であり、係る構成の様に、流路１９を長くすることによって、係る未浄空気２８が通過するフィルターの距離が長くなることによって、より係る未浄空気２８の濾過効果を高めることが可能な構成の例であり、また、係る流路１９に、加熱ヒーターや紫外線を設ける構成においても、より、浄化流路１９が長くなり、空気が浄化される効果が期待でき、有用である。
図８（ｂ）の構成の例は、係る感染防止筒２１の側面に空気の取り入れ口が設けられ、２重になった感染防止筒２１の外側の流路１９を下方に係る未浄空気２８が流れ、係る流路１９においても、内側に設けられたヒーターによって係る未浄空気２８が加熱されながら下方のヘアピンカーブ３７と係る空気浄化部１２の中央と周囲で加熱された空気浄化部１２である多孔性のセラミックによって、係る未浄空気２８が熱せられることによって、係る未浄空気２８に含まれたウィルス等を殺菌されながら浄化され、浄化気口２３より浄化空気２９として排気される構成の例である。
【００７８】
尚、係る市松模様の部分が、ヒーターを示しており、係る筒状の内面と、下面と、中央にヒーターが設けられた構成の例であり、係るヒーターによって、係る多孔性のセラミックが加熱される構成の例であり、係る複数の穴を係る空気が通過することによって、係る空気が加熱されて、除菌、浄化、無毒化、不活化される構成の例である。
【００７９】
尚、係る多孔性のセラミックは、係るヒーターの熱を伝える媒体の一例であり、その他、軽石でも、ガラスでも、鉄やアルミニウム等の金属でも良いし、その他、本発明の技術的思想の範囲内、即ち、同一の作用効果を発揮できる形状あるいは寸法の範囲内で変更することができるものである。
【００８０】
ヒーターは、ニクロム線やハロゲンやカーボン等の電気式のヒーターが望ましく、また、係るヒーターの形態は、バンドヒーターでも良いし、棒状のカートリッジヒーターでも良いし、網状のヒーターでも良く、その他、本発明の技術的思想の範囲内、即ち、同一の作用効果を発揮できる形状あるいは寸法の範囲内で変更することができるものである。
【００８１】
また、ヒーターは、可燃物を燃焼あるいは不完全燃焼させる構成としても良く、ガスでも良いし、枯れた葉でも良いし、木片でも良いし、炭でも良く、その他、本発明の技術的思想の範囲内、即ち、同一の作用効果を発揮できる形状あるいは寸法の範囲内で変更することができるものであるが、係る、可燃物を燃焼あるいは不完全燃焼させる構成においては、係る燃焼あるいは不完全燃焼によって発生する煙や有害物質を除去するフィルターと併用することが望ましく、係る構成の主なターゲットは、ウィルスや花粉等の生物系の有害物質の焼殺による不活化、あるいは、係る熱による熱分解が可能なガスや物質の除去に、適切で有用な構成である。
【００８２】
また、係るファン１１は、吸気力増強の為、二つのファン１１が、直列に設けられている構成の例であり、二つ以上のファン１１を備えることによって、係る空気浄化部１２の抵抗が大きい構成においても、より流量を多く、空気を流すことが可能となり、有用である。
【００８３】
図８（ｃ）の構成の例は、空気浄化部１２として光触媒加工をされた材料である、触媒材３８を備えた構成であり、係る触媒材３８の周囲には、光源２０が設けられており、係る光源２０による光によって、係る触媒材３８の光触媒が活性化されて、除菌、分解効果が活性化する構成の例である。
尚、星マークが、光源２０を示している。
尚、係る光源２０は、感染防止筒２１内に設けられている構成であるので、人４９体に影響を与えることなく、人４９体には強すぎるような紫外線とすることも可能であり、光触媒の殺菌、無毒化、不活化効果と合わせて、紫外線による殺菌、無毒化、不活化効果を発揮することが可能であり、有用である。
図８（ｄ）の構成の例は、図８（ａ）の構成の例が、縦方向にヘアピンカーブ３７を備えることによって、係る空気の流路１９の長さを確保していた構成の例であるのに対して、横方向に複数のヘアピンカーブ３７を備えた構成の例であり、係る各ヘアピンカーブ３７に紫外線の光源２０を備えることによって、係る未浄空気２８を浄化させる構成の例である。
このように、複数のヘアピンカーブ３７を備えることによって、係る流れる空気の流れ１７を乱し、乱流にし、また、空気の流れる距離を長くすることによって、より満遍なくしっかりと係る流れる空気に紫外線にさらすことが可能となり、より除菌、浄化効果を高める構成の例である。
また、係る空気の流路１９の長さを確保する構成は、その他このようにヘアピンカーブを備える構成としても良いし、図面には示されていないが、渦巻き状に流路１９を設ける構成としても良く、限定しない。
【００８４】
図８（ｅ）の構成の例は、係る感染防止筒２１が、下側に末広がりの形状である構成の例である。
係る構成とすることによって、浄化気口２３のサイズに対して、未浄気口２４のサイズを大きくすることが可能となり、十分な量の空気を取り入れ可能な開口部を有することによって、係る未浄気口２４近辺の空気の流れ１７を遅くして、しっかりと係る未浄空気２８の浄化、殺菌、無毒化を可能とし、十分な体積あるいは面積の空気浄化部１２を備えることが可能となり、有用である。
【００８５】
図９の構成の例は、係る空気浄化部１２の構成の例であり、係る空気浄化部１２がフィルターと、係るフィルターを加熱する加熱部１５であるヒーターの構成の例を示している。
【００８６】
図９（ａ）の構成の例は、加熱フィルター５３の外側を加熱部１５の熱源であるバンドヒーターで巻いた構成の例である。
係る加熱フィルター５３は、セラミックや鉄等の金属に穴を設けられた構成の例であり、係る穴を空気が通過する際に、係る加熱されたフィルターから熱をかけられて、係る熱、あるいは遠赤外線等の放射熱によって、係る空気の浄化、殺菌、無毒化する構成の例である。係る加熱フィルター５３の高さや、外形のサイズ、あるいは、穴のサイズは、通気に対して負荷がかかり過ぎると通気抵抗となり、空気の流れを妨げ、加熱フィルター５３の穴のサイズが大きすぎると、係るフィルターを通過する空気とウィルスに対して、熱を伝えることが困難となり、また、小さ過ぎると、通気抵抗となるのでより多くの穴を備える必要があり、また、係る加熱フィルター５３の熱伝導性とヒーターの配置との関係等で適切な構成に決定すべきものである。
また、係るフィルターの高さも長い方が、ウィルス等の殺菌に効果がある構成となる。
【００８７】
図９（ｂ）の構成の例は、2つの加熱フィルター５３の穴の位置をずらして設けた構成であり、且つ、2つの加熱フィルター５３の間に隙間を設けて配置させた構成であり、このように、穴の位置をずらして設けることによって、係る加熱フィルター５３を通過するウィルス等が、係る空気の通り道である係る加熱フィルター５３の壁にぶつかりながら乱れて流れることになるので、ウィルスが高い熱を持った加熱フィルター５３にぶつかる確率や、満遍なく係る通過する空気に熱を伝えることによって、ウィルス等を殺菌、不活化、無毒化する構成の例である。
【００８８】
尚、図９（ｂ）の図においては省略されているが、係る２つの加熱フィルター５３は、外側を筒状に巻いて、あるいは、感染防止筒２１の中に設ける構成として並べて配置されるものである。
また、係る加熱フィルター５３を、間隔を置いて配置することによって、係る加熱フィルター５３と加熱フィルター５３の間の空間の空気も、加熱された状態になり、空気の流れ１７も乱流となるので、より、ウィルスを殺す効果をアップすることができ、また、図９（ｂ）の構成の例においては、係る加熱フィルター５３は、2つのみ並べて配置させた構成の例であるが、3つでもまた、それ以上でも良く、係る数が多い程、ウィルスの除去できる確率は上がり、有用である。
【００８９】
図９（ｃ）の構成の例は、図９（ｂ）の構成の２つの加熱フィルター５３を並べて配置した構成において、３つの加熱フィルター５３を、棒状のカートリッジヒーターで串刺しに縦に配置した構成の例である。
係る構成とすることによって、ヒーターが発熱した熱を、より効率的に係る加熱フィルター５３または係る加熱ヒーターと加熱ヒーターとの間の空間に使われることが可能な構成となり、また、係るヒーターが、係る加熱フィルター５３を支える柱となり、係るフィルターをより安定的に保持可能であり、有用である。
【００９０】
図９（ｄ）の構成の例は、２つの加熱フィルター５３を並べて配置する構成において、２つの加熱フィルター５３の間に、加熱部１５の熱源である棒状のカートリッジフィルターを挟持する構成の例である。係る構成とすることによって、係る加熱フィルター５３を、より、全面的に温めることも可能となり、有用である。
また、図９の各図の構成の例における加熱フィルター５３を加熱するヒーターは、バンドヒーターでも良いし、棒状のカートリッジヒーターでも良いし、網状のヒーターでも良く、その他、本発明の技術的思想の範囲内、即ち、同一の作用効果を発揮できる形状あるいは寸法の範囲内で変更することができるものである。
また、係る加熱フィルター５３の構成は係る加熱フィルター５３の代わりに、光触媒のフィルターを用い、係る加熱部１５の代わりに、光源２０や紫外線の光源２０としても良い。
また、係る電気によるヒーターやファン１１の電源は、１００Ｖ電源でも、ＵＳＢでも、電池式でも良く、また、太陽光で充電可能な電池を使用しても良いが、より安定的に高温な加熱フィルター５３とする構成としては、１００Ｖ等のコンセントを介した電力供給の構成とすることが望ましいが、電池の性能と、必要なヒーターと、温度、使用時間等、必用な諸条件との兼ね合いで、選択可能であるものである。
【００９１】
図１０の構成の例は、エアマスク１と鼻と口を覆うマスクと合わせたマスクユニット２の構成の例である。
【００９２】
図１０（ａ）の構成の例は、図２（ｂ）と同等のエアマスク１と、鼻と口を覆ったマスクである口鼻マスク５５を人４９が装着した構成の例であり、係る口鼻マスク５５の断面図を示しており、係る鼻と口を覆った口鼻マスク５５は、上部を鼻から逆Ｕの字状に係る口鼻マスク５５と人４９の顔を略密着させる部分であるシール部５７を備え、係る口鼻マスク５５の下部は開口部であるマスク開口５６を備えた構成の例であり、係るシール部５７と係る口鼻マスク５５に囲われた中空空間が、マスク中空５８である。
【００９３】
尚、係るマスク中空５８は狭くても良いし、広くても良いが、係るマスク中空５８の広さは、係るエアマスク１による浄化空気２９の供給能力との兼ね合いによって、適切な設定とすることが望ましく、例えば、係る浄化空気２９の供給能力が、人の呼吸量に対して十分に大きく、係る口鼻マスク５５の周囲を十分が係る浄化空気２９で満たされるようなレベルであれば、係るマスク中空５８は狭くても良いし、また、マスク開口５６を備えない構成としても良く、係る浄化空気２９の供給能力が、それ程大きくない場合等は、係るマスク中空５８や他の図の説明にも示されるような、方向定め具２５である、方向定め足２６や、回動回転首や、蛇腹首や、浄化気誘導部５４や、垂れ幕部６１や、放散抑制板１３等を合わせた構成とすることによって、無駄の無い浄化空気２９の供給構造と、適切な貯気量を確保する構造によって、係る浄化空気２９を効率よく係る人４９が吸引できる構成とすることが望ましい。
【００９４】
尚、係る方向定め具２５は、その他、本発明の技術的思想の範囲内、即ち、同一の作用効果を発揮できる形状あるいは寸法の範囲内で変更することができるものである。
【００９５】
係る首から吊設したエアマスク１が、係る人４９の口の方向に浄化された空気である浄化空気２９を送風し、係る浄化空気２９の流れ１７が、係るマスク開口５６からマスク中空５８に入り、係る人４９は、係るマスク中空５８内の空気である、貯気と、係るマスク開口５６から係るマスク中空５８に侵入してくる空気を吸引する構成の例であり、係る構成とすることによって、所謂一般的な口を覆うマスクだけだと、かなり、係るマスク自体の濾過機能が、微細な粒子まで濾過でき、且つ、係るシール部５７がしっかりとシールされていないと、係るマスクによるウィルスとうの侵入を防ぐことは困難であったが、係る構成とすることによって、常に、係るマスク中空５８内に、浄化されて、無毒化あるいは除菌、不活化された空気を送風し続けることによって、そうした異物やウィルス、花粉、ガス等の吸引を妨げることが可能であり、有用な構成である。
【００９６】
係る口鼻マスク５５は、不織布でも良いし、綿でも、合成繊維でも、スポンジ等の発泡性樹脂等の可撓性シートでも良いし、アクリルやポリプロピレン等のプラスチックの板状でも、ゴムでも、シリコンゴムでも良く、その他、本発明の技術的思想の範囲内、即ち、同一の作用効果を発揮できる形状及び寸法、材質の範囲内で変更することができるものである。
また、係るエアマスク１の開口部である浄化気口２３を、図３の構成の例に示される様な蛇腹構造２７を備えた構成とすることによって、係るマスク開口５６に、より近い位置から浄化空気２９を係るマスク中空５８内に送風可能な構成となり、有用である。
口鼻マスク５５は、図面では口と鼻の両方を覆うマスクであるが、口だけ覆っても良いし、鼻だけ覆う構成としても良い。
【００９７】
図１０（ｂ）の構成の例は、図１０（ａ）の構成の例の人４９を正面から見た図の例であり、係るエアマスク１から送風された浄化空気２９が、係る口鼻マスク５５に入る構成の例である。
尚、係る口鼻マスク５５の人４９の鼻から逆Ｕの字状のドット模様で示された部分が、係る口鼻マスク５５のシール部５７を示しており、係る貯気が、係るシール部５７からは、略漏れ難い構成の例であり、係るシール部５７は、スポンジ等の発泡性の素材を備えても良いし、ゴムでも、シリコンゴムでも、針金で顔の形状に密着させても良いし、粘着テープでも良く、その他、本発明の技術的思想の範囲内、即ち、同一の作用効果を発揮できる形状及び寸法、材質の範囲内で変更することができるものである。
図１０（ｃ）の構成の例は、図１０（ａ）の構成の例におけるエアマスク１からの浄化空気２９の一部が、係る口鼻マスク５５の前を吹き抜ける構成の例を示しており、係る構成とすることによって、係るエアマスク１から口鼻マスク５５の前付近にある、空気、つまり、ウィルス等を含んでいるかもしれない未浄化の空気を係る口鼻マスク５５の外に流れる係るエアマスク１からの空気によって吹き飛ばすことによって、係る人４９が、係る未浄化の空気を、吸うことを抑止する構成の例であり、有用である。
【００９８】
また、係る口鼻マスク５５の前を係る浄化空気２９が流れることによって、係る口鼻マスク５５の表面に、ウィルスや花粉、その他異物の付着を軽減することが可能となり、係る口鼻マスク５５の着脱の際に、係る口鼻マスク５５の表面に付着したウィルス等が手に付着して、係る手に付着したウィルスによって、健康に害を及ぼすことを抑制可能であり、有用である。
【００９９】
図１０（ｄ）の構成の例の説明は、図１０（ａ）の構成の例と同等のマスク中空５８に入った空気の流れ１７の例を、より詳しく説明した説明図である。
【０１００】
係るエアマスク１から送風される浄化空気２９と、人４９から排気された呼気が、係るマスク中空５８内に貯気として存在し、係るマスク中空５８内に入りきれない空気が、リターン気５９として係るマスク開口５６から排出され、また、係るリターン気５９が、係るマスク開口５６の外側付近に滞留気６０として漂うことによって、係るマスク開口５６付近のウィルスや異物、ガス等を押しのけることによって、係るエリアのウィルスや異物、ガス等の濃度をかなり薄める効果があり、有用である。
尚、係るマスク中空５８内には、連続的に係るエアマスク１から浄化空気２９が供給されることによって、係る人４９は、略浄化された空気にて呼吸可能な構成であり、有用である。
尚、係る滞留気６０の塊は、係る人４９が歩いていたり、移動している状況や、風が強い状況においては、すぐに周囲に拡散してしまうものであり、あくまでも、係る人４９が、それ程風の無い空気の動きの多くない環境で座っていたりそれ程動きが無い環境において、係るマスク開口５６付近に滞留するものである。
尚、係る滞留気６０の滞留エリアは、図面上では、楕円状の破線のエリアが示すエリアである。
【０１０１】
図１１の構成の例は、エアマスク１と鼻と口を覆うマスクと合わせたマスクユニット２の構成の応用例である。
【０１０２】
図１１（ａ）の構成の例は、図１０（ａ）の構成の例における、鼻と口を覆うマスクと図７（ａ）の構成の例におけるエアマスク１を装着した人４９の例である。
係るエアマスク１が、放散抑制板１３を備えたことによって、係るエアマスク１から送風される浄化空気２９が、拡散し難く、周辺の空気とあまり混ざることなく、また、周囲の風などの影響を受け難くなり、より、係るエアマスク１からの浄化空気２９が、より効率的に係る口鼻マスク５５あるいはマスク中空５８内に送風される構成の例であり、有用である。
また、係る放散抑制板１３を備えたことによって、係る滞留気６０も拡散し難くなり、周囲の空気と混ざり難く、より浄化された空気で呼吸可能な構成であり、有用である。
【０１０３】
放散抑制板１３は、板状でも良いし、可撓性シートでも良いし、係る材質も、鉄や銅等の金属でも、ポリプロピレンやポリアミド等のプラスチック素材でも、ガラスでも、木でも、竹でも、綿でも良いし、麻でも、ビニールでも、ゴムでも、シリコンゴムでも良く、その他、本発明の技術的思想の範囲内、即ち、同一の作用効果を発揮できる形状及び寸法、材質の範囲内で変更することができるものである。
【０１０４】
図１１（ｂ）の構成の例は図１１（ａ）の構成の例が、放散抑制板１３にて係るエアマスク１からの浄化空気２９の拡散を抑制している構成の例であるのに対して、図１１（ｂ）の構成の例は、係る鼻と口を覆うマスクの一部が下に、幕状に垂れ下がっている部分である垂れ幕部６１を備えていることによって、係るエアマスク１からの浄化空気２９の拡散を抑制しながら、係るマスク中空５８内に送気する構成の例であり、有用である。
【０１０５】
係る垂れ幕部６１は、係るエアマスク１の開口部である浄化気口２３あたりまで長い構成であることによって、係る浄化気口２３から排気される浄化空気２９あるいは滞留気６０が分散され難く有用であり、できれば、係る垂れ幕部６１の長さは、人４９の顎より長く、係る浄化気口２３あたりまで垂れ下がっていることが望ましい。
また、係る垂れ幕部６１は、係る浄化気口２３から送風される浄化空気２９の量とスピードに対して、あるいは、周囲の風などの強さ等の想定される外的要因に対して、重量が軽すぎると、係る風速等になびいてしまい、しっかりと周囲の空気と、係る滞留気６０あるいは浄化空気２９とを遮る効果が減退するものである。
ついては、係る垂れ幕部６１がなびき難いように、係る垂れ幕部６１自体の重量を上げても良いし、剛性を上げても良いし、係る垂れ幕部６１の周囲あるいは端部に針金等の枠を設けても、リブを備えたも良いし、リブ状に例えばプリーツ加工を施しても良いし、一部を折り曲げても良いし、粘着テープ等のテープを設けて剛性あるいは重量をアップしても良いし、発泡素材として剛性を上げても良いし、係るエアマスク１と係止可能な構成としても良いし、その他、本発明の技術的思想の範囲内、即ち、同一の作用効果を発揮できる形状及び寸法、材質の範囲内で変更することができるものである。
【０１０６】
また、係る垂れ幕部６１は、係る口鼻マスク５５に着脱可能に係止可能な構成としても良く、係る垂れ幕部６１を着脱可能な構成とすることによって、係る垂れ幕部６１を使いまわすことも可能であり、例えば、係る口鼻マスク５５が、使い捨ての形態であっても、係る垂れ幕部６１だけでも使いまわすことが可能であることによって、資源の無駄を減らすことが可能で、また、コストも減らすことも可能であり、有用であり、係る着脱可能な係止構造は、図面には示されていないが、面ファスナーでも良いし、フックでも良いし、紐でも良いし、リングでも良いし、テープでも良く、その他、本発明の技術的思想の範囲内、即ち、同一の作用効果を発揮できる形状及び寸法、材質の範囲内で変更することができるものである。
【０１０７】
図１１（ｃ）及び図１１（ｄ）の構成の例は、係る垂れ幕部６１の端に、係る垂れ幕部６１の重り、あるいは、剛性をアップさせる為の棒である、幕位置保持部６２を備えた構成の例であり、図１１（ｃ）の構成の例は、係る垂れ幕部６１の下側の端に係る幕位置保持部６２として、棒を備えた構成の例であり、図１１（ｄ）の構成の例は、係る垂れ幕部６１の両端に係る棒を備えた構成の例であり、それぞれ、係る垂れ幕部６１が、浄化気の流れ１７や周囲の風等によってなびき難く、安定して垂れ下がることが可能な構成であり、有用であり、係る幕位置保持部６２は、重りまたは芯材であり、係る重りまたは芯材は、棒でも良いし、針金でも良いし、紐でも良いし、鉄や銅等の金属でも、ポリプロピレンやポリアミド等のプラスチック素材でも、ガラスでも、木でも、竹でも、係る垂れ幕部６１の端を巻いて剛性を高めた芯材である構成としても良く、また、係る位置も、係る垂れ幕部６１やマスクの端でも良いし、中央でも良いし、斜めに設けても良いし、縦でも横でも良いし、１つでも複数でも良く、また、係る形状も、棒状でも、鋲状でも良く、その他、本発明の技術的思想の範囲内、即ち、同一の作用効果を発揮できる形状及び寸法、材質の範囲内で変更することができるものである。
【０１０８】
垂れ幕部６１は、口鼻マスク５５と同等の素材としても良いし、違う素材を係止して設けても良く、不織布でも良いし、綿でも、合成繊維でも、スポンジ等の発泡性素材でも、可撓性シートでも良いし、アクリルやポリプロピレンやポリエチレン等のプラスチックでも、ゴムでも、シリコンゴムでも良く、その他、本発明の技術的思想の範囲内、即ち、同一の作用効果を発揮できる形状及び寸法、材質の範囲内で変更することができるものである。
【０１０９】
図１２は、係るエアマスク１と口鼻マスク５５の構成のバリエーションの例である。
【０１１０】
図１２（ａ）の構成の例は、図１１（ｂ）の構成の例における係る口鼻マスク５５の一部あるいは垂れ幕部６１の一部が、係るエアマスク１に係止された構成の例である。
係る構成の例の様に、垂れ幕部６１あるいは口鼻マスク５５の一部と係るエアマスク１が互いに係止されることによって、係るエアマスク１と垂れ幕部６１あるいは口鼻マスク５５の位置関係をより安定的に保持可能な構成とすることが可能で、あるいは、係るエアマスク１と垂れ幕部６１あるいは口鼻マスク５５との隙間を減らすことによって、係るエアマスク１からの浄化空気２９を、より安定的にマスク中空５８内に届けることが可能となり、また、滞留気６０の拡散を抑制可能な構成とすることができ、より浄化された空気で呼吸することが可能となるので、有用である。
係る係止された部分はマスク係止部であり、それぞれ口鼻マスク５５側の係止部を、マスク係止部Ａ６３、エアマスク１側の係止部を、マスク係止部Ｂ６４とし、図１２（ａ）の構成の例においては、それぞれ、マスク係止部Ａ６３は輪状の紐であり、マスク係止部Ｂ６４は、係船柱状の引っ掛け具である係止部が設けられている構成の例であり、係る紐状のマスク係止部Ａ６３が、係船柱状のマスク係止部Ｂ６４に引掛けて係止されている構成の例である。
【０１１１】
但し、係るマスク係止部あるいは垂れ幕部６１の長さに余裕が無いと、例えば、係る人４９が振り向いたり、頷いたりといった顔の動作をした場合に、係るマスク係止部に引っ張られてマスクがずれたりするような不具合が発生するので、係るマスク係止部の長さか、係る垂れ幕部６１の長さを弛ませる等の余裕を持たせた構成とするか、あるいは、係る垂れ幕部６１の素材を伸縮性を備えた素材で構成するか、あるいは係るマスク係止部に、紐を巻き取ることによって、係る紐が伸縮自在である巻き取り具を備えた、例えば、リールキーホルダーやゴム状の伸縮自在な構造のマスク係止部を備えることによって、係る首の動作に追随可能な構成とすることが可能であり、有用である。
【０１１２】
伸縮自在である巻き取り具は、例えば、巻き取り具に巻いて設けられた紐の内側に渦巻き状に設けられたゼンマイばねを備え、係るゼンマイばねの力で係る紐に巻かれた紐を伸縮自在に出し入れ可能な巻き取り具であり、その他、本発明の技術的思想の範囲内、即ち、同一の作用効果を発揮できる形状及び寸法、材質の範囲内で変更することができるものである。
マスク係止部Ａ６３は、人４９の口あるいは鼻を覆うマスクと、エアマスク１に備えられたマスク係止部Ｂ６４との係止部であり、係るマスク係止部Ａあるいはマスク係止部Ｂ６４は、紐でも良いし、ゴムでも、シリコンゴムでも、面ファスナーでも、ホックでも、フックでも、嵌合でも、ネジでも、バックルでも、リングでも、引っ掛け具でも良く、その他、本発明の技術的思想の範囲内、即ち、同一の作用効果を発揮できる形状及び寸法、材質の範囲内で変更することができるものである。
【０１１３】
図１２（ｂ）の構成の例は、口鼻マスク５５の両サイドに、図４で示される様な顔の両サイドに配置されたチューブ３３状のチューブ３３首が配置され、係る口鼻マスク５５の両サイドから、浄化空気２９をマスク中空５８内に流入させる構成の例である。
係る構成とすることによって、例えば、図１２（ａ）の構成の例の様に、首から胸の前にエアマスク１を吊設する場合、係るエアマスク１が、なんらかの作業をするのに邪魔である様な場合に、係るエアマスク１を、背中あるいは首の後ろあるいは頭に装着することによって、作業等の邪魔にならず、有用であり、また、係るチューブ３３の可撓性あるいは、係るエアマスク１をより頭に近いところに装着することによって、係る口鼻マスク５５に対する浄化口の位置をより安定的に配置させることが可能となるので、より安定的に浄化空気２９を呼吸可能な構成となり、有用である。
【０１１４】
係る口鼻マスク５５内のマスク中空５８内に、係るチューブ３３を直接挿管して浄化空気２９を送気する構成とすることによって、係るマスク中空５８内が、正圧となり、また、ついては、万一係るマスク中空５８内に入ってきたウィルスや花粉等の異物を追い出すことが可能な構成であり、大変有用性の高い構成である。
【０１１５】
また、図面には示されていないが、係る口鼻マスク５５に、係るチューブ３３を係止して、係るチューブ３３の位置を保持する係止部であるチューブ３３係止部を備えても、係るチューブ３３の位置を保持可能であり、有用であり、係るチューブ３３係止部は、紐でも、ゴムでも、リングでも、フックでも、穴でも良く、その他、本発明の技術的思想の範囲内、即ち、同一の作用効果を発揮できる形状及び寸法、材質の範囲内で変更することができるものである。
【０１１６】
また、図１２（ｂ）の構成の例は、係る口鼻マスク５５のシール部５７を備えない係る口鼻マスク５５と顔の間の隙間から係るチューブ３３が挿管されている構成であるが、シール部５７を備えた部分から挿管しても良いし、係る口鼻マスク５５も４辺の周囲全体にシール部５７を備えた構成としても良いし、係る口鼻マスク５５に設けた穴から係るチューブ３３が挿管される構成としても良い。
【０１１７】
図１２（ｃ）の構成の例は、図６（ｂ）の構成の例のエアマスク１のコの字状の浄化気誘導部５４が鼻を覆う様に設けられた構成の例であり、係る構成の例の様に、係る浄化空気２９が、鼻の穴に略１００％届く構成であることによって、効率的に浄化空気２９を係る人４９の鼻と口に送気可能な構成であり、また、特に、基本的に通常は、人４９は鼻呼吸をしている人４９が多いことを考えると、係る鼻にピンポイントで浄化空気２９を送気可能な構成であり、有用である。
また、係る鼻に浄化空気２９を送気する構成としては、例えば、入院患者等においては、鼻の穴に管を挿入して酸素等の空気を送気するシステムがあるが、通常生活において、そのように鼻の中に挿管する構成は、見かけ的にも、日常生活の実用的にもあまり現実的な構成ではなく、その点からも、係る構成は有用性があるものである。
また、係る浄化気誘導部５４の上から覆う様にして、一般的なマスクを装着すれば、係るマスクの中に、浄化空気２９が送気されることになるので、それ程目の細かいマスクでなくても、係るマスク内を正圧にすることによって、外気からのウィルスや花粉他の異物の侵入を抑制することが可能な構成であり、有用である。
【０１１８】
図１３の構成の例は、係る口鼻マスク５５あるいは、垂れ幕部６１が、２重構造であるマスク重複部６５、または垂れ幕重複部６６を備えた構成の例である。
尚、係るマスク重複部６５、及び垂れ幕重複部６６における２重構造によって構成される係るマスク重複部６５、及び垂れ幕重複部６６によって形成される係る２重構造によって挟まれた中空空間は、重複中空部６７である。
尚、係るマスク重複部６５は、係る口鼻マスク５５本体の２重構造の部分である重複中空部６７であり、垂れ幕重複部６６は、垂れ幕部６１の２重構造の部分である重複中空部６７である。
また、前記マスク重複部６５、あるいは垂れ幕重複部６６は、2重構造でも良いし、3重構造でも良いし、それ以上の多重構造でも良い。
【０１１９】
図１３（ａ）の構成の例は、係る口鼻マスク５５に備えられた垂れ幕部６１が２重に重複している垂れ幕重複部６６を備えた構成の例の断面図である。
係る重複中空部６７は、一方の開口部がマスク中空５８に開口部を備え、係る重複中空部６７のマスク中空５８側の開口部を、重複開口Ａ６８とし、係る重複中空部６７は、外気側に開口部を備え、係る重複中空部６７の外気側の開口部を、重複開口Ｂ６９とし、係る重複中空部６７は重複開口Ａ６８及び重複開口Ｂ６９を備えている。
【０１２０】
図１３（ａ）の構成の例における係る人は、図２（ｃ）と同等のエアマスク１を装着し、係る口鼻マスク５５を装着し、係る口鼻マスク５５の重複開口Ｂ６９が、係るエアマスク１の回動回転口３１に被さる様にして設けられ、係る回動回転口３１から排気された浄化空気２９が係る重複開口Ｂ６９側から係る重複中空部６７内に送気され、重複開口Ａ６８からマスク中空５８内に送気され、係る人が係る浄化空気２９にて呼吸可能である構成の例であり、係るエアマスク１からの排気される浄化空気２９を、略１００％係るマスク中空５８内に送気可能で、また、係る重複中空部６７は十分な太さの空気の流路を確保可能であり、十分な量の浄化空気２９を余裕をもって送気可能な構成であり有用である。
【０１２１】
尚、係る、重複開口Ａ６８の人の顔に当たっている側の部分は、シール部５７とする構成とすることによって、より外気との密閉が保つことが可能で有用であるが、係るマスク中空５８内が係るエアマスク１からの送気によって正圧になっている為、必ずしも係る重複開口Ａ６８の人の顔に当たっている側の部分はシール部５７としない構成としても良いが、係るシール部５７の有無の構成は、係る送気量や、係る口鼻マスク５５が装着される想定される使用環境等により、適切な構成が選択されるべきものである。
尚係る垂れ幕部６１は図１１（ｂ）の説明同様、着脱可能な構成としても良い。
また、係る重複開口Ｂ６９と係る浄化気口２３でもある回動口に、蛇腹口３０をマスク係止部で係止することによって、係る重複開口Ｂ６９が浄化気口２３からずれず、常に安定的に浄化空気２９を係る重複開口Ｂ６９から供給可能であり、有用である。
【０１２２】
図１３（ｂ）の構成の例は、係る重複開口Ａ６８が、口鼻マスク５５本体の略中程に設けられた構成の例である。
係る構成とすることの有用性として、以下の様な課題の改善点があり、例えば図１３（ａ）の構成の例においては、重複開口Ａ６８が係る人の鼻口の真下に開口した構成であることによって、係る口から排出されたくしゃみ等の唾液等が、係るエアマスク１上に落ち易いという課題もあり、係る重複開口Ａ６８の位置を、例えば、口鼻マスク５５の位置を上げて、係る口鼻の真下に大きく開口した構成としないことによって、係るくしゃみ等による唾液等が重力によって真下に落ちても、直接エアマスク１を汚すことを抑制することが可能であり、有用である。
【０１２３】
図１３（ｃ）の構成の例は、図１３（ｂ）の構成の例におけるエアマスク１が図３の構成の例における、蛇腹口３０の構成の例である。
係る構成とすることによって、蛇腹口３０が延ばされて、より人の顔に近くまで配置することが可能となるので、係る垂れ幕部６１の長さを短くすることが可能となり、あるいは、図面には示されていないが係る重複開口Ｂ６９と係る蛇腹口３０をマスク係止部で係止することによって、係る人の顔が動いても、係る蛇腹口３０の位置が追従可能であるので、人の顔の動きにも柔軟に対応可能で、有用な構成である。
【０１２４】
図１３（ｄ）の構成の例は、係るエアマスク１の浄化口が、チューブ３３に設けられた構成の例である。
また、係る重複中空部６７は、係る口鼻マスク５５本体部分の重複中空部６７であり、係る重複中空部６７の重複開口Ｂ６９から係るチューブ３３が挿管され、係る重複中空部６７内にて係るチューブ３３の先端に設けられた浄化気口２３が配置された構成の例である。
係るチューブ３３が、係る重複中空部６７内に挿管される構成であることによって、係るチューブ３３に、人のくしゃみ等の唾液等が直接付着することが無く、係るチューブ３３が汚れることを抑制可能であるので、係るチューブ３３を繰り返し使用する際にも、より清潔に係るチューブ３３を使用することが可能で有用である。
また、係る重複中空部６７の重複開口Ａ６８の位置を、図１３（ｃ）の構成の例の様に、係る口鼻マスク５５の上の方、つまり鼻の上の方に配置することによって、係るチューブ３３の先端に設けられた浄化気口２３を係る重複開口Ａ６８から出しても、係るチューブ３３が係る人のくしゃみ等で汚れ難く、有用である。
また、係るチューブ３３も、係る重複中空部６７にて広い部分で挟持される為、安定して保持可能な構成であり、有用である。
【０１２５】
また、重複開口Ｂ６９は、いずれも係る口鼻マスク５５の下側に設けられた構成の例であるが、横でも、上側に設けた構成としても良い。
【０１２６】
図１４の構成の例は、図１３の構成における口鼻マスク５５の構成の説明図である。
【０１２７】
図１４（ａ）の構成の例の口鼻マスク５５は、図１３（ａ）の構成の例の口鼻マスク５５の構成の例と同等の構成の口鼻マスク５５の構成の口鼻マスク５５を人が装着した例の正面図である。
係る重複中空部６７の重複開口Ａ６８の係る人の顔との接触している側は、シール部５７である構成の例であり、係る重複開口Ａ６８の外側の係る人との接触部から、係るマスク中空５８内に外気が入り込みにくい構成となっており、有用であるが、係るシール部５７は、係るマスク中空５８内が係るエアマスク１からの送気によって正圧になっているので、外気が入り難い構成となっており、係るエアマスク１の送気能力や外気等の周辺環境、対象とする汚染によって、係るシール部５７の有無は選択的に決定されるべきものである。
【０１２８】
図１４（ｂ）の構成の例の口鼻マスク５５は、図１４（ａ）の構成と同等の口鼻マスク５５のみの正面図である。
【０１２９】
図１４（ｃ）の構成の例の口鼻マスク５５は、図１４（ｂ）の構成の例の係る垂れ幕重複部６６が筒状である構成の例の、係る垂れ幕重複部６６の横断面図であり、係る垂れ幕重複部６６は、筒状であることを示している。
【０１３０】
図１４（ｄ）の構成の例は、図１４（ｃ）の係る筒状である垂れ幕重複部６６の形成の仕方を示した例の説明図であり、係る垂れ幕重複部６６は、表側を係る口鼻マスク５５の本体からの素材の可撓性シートが、そのまま一体の構成であり、係る素材の裏側に、別の長方形の可撓性シートを、係る長方形の向かい合う二辺を係止することによって、図１４（ｃ）に示される様な筒状の垂れ幕重複部６６を形成する構成の例であり、係る係止部は、九十九折線で示された部分である。
【０１３１】
図１４（ｅ）の構成の例は、図１４（ｃ）の構成の係る筒状である垂れ幕重複部６６の形成の仕方を示した例の説明図であり、係る筒状の可撓性シートを、口鼻マスク５５の本体の下部に係止して設けた構成の例であり、係る係止部は、九十九折線で示された部分である。
尚、係る口鼻マスク５５の本体の下部に係止して設けた筒状の可撓性シートは、着脱可能に係止しても良く、着脱可能に設けることが可能である構成とすることによって、係る筒状の垂れ幕部６１を使いまわすことも可能であり、例えば、係る口鼻マスク５５が、使い捨ての形態であっても、係る垂れ幕部６１だけでも使いまわすことが可能であることによって、資源の無駄を減らすことが可能で、また、コストも減らすことも可能であり、有用であり、係る着脱可能な係止構造は、図面には示されていないが、面ファスナーでも良いし、フックでも良いし、紐でも良いし、リングでも良いし、テープでも良く、その他、本発明の技術的思想の範囲内、即ち、同一の作用効果を発揮できる形状及び寸法、材質の範囲内で変更することができるものである。
【０１３２】
図１４（ｆ）の構成の例の口鼻マスク５５は、係る垂れ幕重複部６６が筒状でない２重構造の構成の例である。
係る構成とすることによって、例えば、図１１（ｂ）の構成の垂れ幕部６１が前面だけを抑えている構成と比較して、浄化空気２９の放散を抑制することが可能であり、有用である。
【０１３３】
図１４（ｇ）の構成の例が、係る図１４（ｆ）の構成の例と同等の口鼻マスク５５の正面図の構成の例であり、係る垂れ幕重複部６６は、表側を係る口鼻マスク５５の本体からの素材の可撓性シートが、そのまま一体の構成であり、係る素材の裏側に、別の長方形の可撓性シートを、係る長方形の向かい合う二辺の上部のみを係止することによって、垂れ幕重複部６６を形成する構成の例であり、係る係止部は、九十九折線で示された部分である。
【０１３４】
図１４（ｈ）の構成の例は、図１３（ｃ）の構成の例の口鼻マスク５５と同等の構成の例の正面図を示しており、係る重複中空部６７が、垂れ幕重複部６６から、マスク重複部６５にかけて設けられており、係るマスク重複部６５の重複開口Ａ６８が、係る口鼻マスク５５本体の、略中程に位置する構成の例である。
【０１３５】
尚、一連の本図の実施例において、
係る感染防止筒２１は、可撓性のある軟質な素材でも、硬質な素材でも良く、シリコンゴムでも、ゴムでも、ポリプロピレンやポリアミド等の合成樹脂でも、アルミニウムや鉄等の金属でも、陶器でも木でも、紙でも良く、長くても、短くても、太くても、細くても良く、また、係る形状も、円筒でも、楕円筒でも、扁平な筒でも、円錐台筒でも、異形な中空部を備えた形状でも良く、その他本発明の技術的思想の範囲内、即ち、同一の作用効果を発揮できる形状及び寸法、材質の範囲内で変更することができるものである。
【０１３６】
また、係る空気浄化部１２のウィルスやガス等の化学物質に対する無毒化、不活化の効果については、対象とするウィルスやガス、花粉、粒子、悪臭等の化学物質に対する空気浄化部１２の の個別の性能によるものであり、係る空気浄化部１２の構成は、対象とするウィルスやガス、花粉、粒子、悪臭等に合わせて設定することも可能である。
特に、人４９の命に関わるようなウィルスに特化した構成とすることも有用である。
【０１３７】
また、係るそれぞれの形態のエアマスク１と口鼻マスク５５を合わせた構成で使用することによって、係るマスク自体の表面にウィルス等が付着することを抑制可能であるので、係る口鼻マスク５５の脱着時に、手にウィルス等が付着して、係る手に付着したウィルスによって感染するような危険を抑止することが可能な構成であり、つまり、係る口鼻マスク５５の表面を流れる浄化空気２９あるいはマスク中空５８内の正圧によって、係る口鼻マスク５５の表面への異物等の付着を抑制する効果もあり、係る口鼻マスク５５とエアマスク１を合わせた構成は、防疫上も、あるいは花粉等に対しても極めて有用性の高い構成である。
【０１３８】
また、可撓性シートは、可とう性を有したシート状で、不織布、発泡性の生地、テント生地やメッシュ生地等の布状部材、他各種繊維素材、各種ゴムや各種樹脂シート製、綿、麻等の天然素材、紙製、金属メッシュ等金属、ガラス繊維、また、色も透明、蛍光、光っても良く、その他、必要に応じた強度、機能を有し、本発明と同一の作用効果を発揮できる範囲内でその素材を限定しない。
【産業上の利用可能性】
【０１３９】
本願発明は、人の場所に関わらず、手軽に、またより確実に、人が吸う空気に含まれるウィルスや、花粉、空気の浄化が可能であり、有用である。
【符号の説明】
【０１４０】
１   エアマスク
２   マスクユニット
１１  ファン
１２  空気浄化部
１３  放散抑制板
１５    加熱部
１６  ヘルメット・帽子
１７  空気の流れ
１８  スライドレール
１９  流路
２０  光源
２１    感染防止筒
２３   浄化気口
２４   未浄気口
２５   方向定め具
２６   方向定め足
２７    蛇腹構造
２８   未浄空気
２９   浄化空気
３０   蛇腹口
３１   回動回転口
３２   回動係止具
３３   チューブ
３４  体装着具
３５  首紐
３６  電気コード
３７  ヘアピンカーブ
３８  触媒材
４９  人
５３   加熱フィルター
５４  浄化気誘導部
５５  口鼻マスク
５６  マスク開口
５７  シール部
５８  マスク中空
５９  リターン気
６０  滞留気
６１  垂れ幕部
６２  幕位置保持部
６３  マスク係止部Ａ
６４  マスク係止部Ｂ
６５  マスク重複部
６６  垂れ幕重複部
６７  重複中空部
６８  重複開口Ａ
６９  重複開口Ｂ
【要約】
【課題】人の移動に合わせて、簡易で自由度が高く、効率的に人が吸う空気中のウィルスや菌、花粉、あるいは汚染された空気やガスを無毒化し、送気するマスクユニットを提供する。
【解決手段】エアマスクは、ファンと空気浄化部を感染防止筒内に備え、浄化気口未浄気口を備え、前記浄化気口は、前記空気浄化部を通過した空気が通過して前記感染防止筒から大気中に放出される開口部であり、前記未浄気口は、前記大気中から、空気を取り込む為の開口部であり、前記ファンは前記浄化気口に設けられ、前記感染防止筒は、人の体に装着可能な体装着具を設けられ、前記エアマスクは、前記ファンによって前記浄化気口（２３）から放出された空気を人の鼻及び口周辺に流すことによって、人の鼻及び口周辺に送気することが可能である構成である。
【選択図】図１【図１】
0006808871.tif 000002
【図２】
0006808871.tif 000003
【図３】
0006808871.tif 000004
【図４】
0006808871.tif 000005
【図５】
0006808871.tif 000006
【図６】
0006808871.tif 000007
【図７】
0006808871.tif 000008
【図８】
0006808871.tif 000009
【図９】
0006808871.tif 000010
【図１０】
0006808871.tif 000011
【図１１】
0006808871.tif 000012
【図１２】
0006808871.tif 000013
【図１３】
0006808871.tif 000014
【図１４】
0006808871.tif 000015